(57)【要約】【課題】座板を火災時に溶解し難くできる防火窓シャッターの座板構造を提供する。【解決手段】防火窓シャッターの座板構造において、左右一対のガイドレール３５に両側が案内されて建物開口部１３の上方の収納部から繰り出し及び巻き取られることで建物開口部１３を昇降自在となって開閉するスチール製のシャッターカーテン１１と、左右一対のガイドレール同士の下側にわたって横方向に設けられる下枠３９と、シャッターカーテン１１の下端に吊られシャッターカーテン１１に上端が連結支持される垂直板部５１と垂直板部５１の下側に連設される略水平な延設板部５３とを有する座板２３と、下枠３９の前側で起立して形成され座板２３の重心５７を通るカーテン延長線５９よりも建物側の延設板部５３に下方より起立上端部６１が当接する起立前板４１と、延設板部５３の建物側の延設板後端部６５に垂設され起立前板４１と対向する係止板部６３とを設けた。【選択図】      図３
2014031635.tif 000002
【特許請求の範囲】
【請求項１】
建物開口部を挟む左右一対のガイドレールに両側が案内されて前記建物開口部の上方に設置された収納部から繰り出し及び巻き取られることで前記建物開口部を昇降自在となって開閉するスチール製のシャッターカーテンと、
前記左右一対のガイドレール同士の下側にわたって横方向に設けられる下枠と、
前記シャッターカーテンの下端に吊られ前記シャッターカーテンに上端が連結支持される垂直板部と前記垂直板部の下側に前記建物開口部側へ延びて連設される延設板部とを有する座板と、
前記下枠の前側で起立して形成され前記座板の重心を通るカーテン延長線よりも建物側の前記延設板部に下方より起立上端部が当接する起立前板と、
前記延設板部の建物側の延設板後端部に垂設され前記起立前板と対向する係止板部と、
を具備することを特徴とする防火窓シャッターの座板構造。
【請求項２】
請求項１記載の防火窓シャッターの座板構造であって、
前記延設板後端部と前記係止板部とが湾曲部で連設されていることを特徴とする防火窓シャッターの座板構造。
【請求項３】
請求項１記載の防火窓シャッターの座板構造であって、
前記シャッターカーテンの吊り持ち力の減少により前記座板が前記起立上端部を支点に建物側から離反する前傾方向に回転したときに前記起立上端部に係止するコ字曲げ部が前記係止板部に設けられていることを特徴とする防火窓シャッターの座板構造。
【請求項４】
請求項３記載の防火窓シャッターの座板構造であって、
前傾回転した前記座板の前記コ字曲げ部に係合して前記起立上端部からの前記コ字曲げ部の離脱を規制する係合爪部が前記起立上端部に設けられていることを特徴とする防火窓シャッターの座板構造。
【発明の詳細な説明】
【技術分野】
【０００１】
本発明は、防火窓シャッターの座板構造に関する。
【背景技術】
【０００２】
窓用シャッターは、建物躯体に開口する窓を覆って外壁に取り付けられ、防錆性や意匠性等を考慮して、アルミやアルミ合金を素材とする部品や、樹脂を素材とする部品が多用されている。図１０に示すように、窓用シャッター５０１は、窓５０３の上方にシャッター本体が取り付けられ、そのシャッター本体の両側から窓５０３を挟むようにして外枠５０５が左右に取り付けられる。それぞれの外枠５０５の内側にはガイドレール５０７が固定され、シャッター本体からシャッターカーテン５０９がガイドレール５０７に沿って引き出される。窓用シャッター５０１は、左右の外枠下端部５１１が窓５０３の下方で水平に配置される下枠５１３によって接続され、シャッター枠部５１５が構成される（特許文献１、２参照）。
【先行技術文献】
【特許文献】
【０００３】
【特許文献１】特開２００５−１６１５０号公報
【特許文献２】特開２００５−３０１２３号公報
【発明の概要】
【発明が解決しようとする課題】
【０００４】
しかしながら、火災などが起きた場合に、シャッターカーテン５０９は、図１１に示すように、火災における炎などの熱によって、収納部における余巻き部分が繰り出される等して、シャッターカーテン５０９の吊り持ち力が減少する。このようにして、閉鎖状態のシャッターカーテン５０９がさらに繰り出されると、弛みによる荷重が座板５１７に加わる。また、火災による熱によって、シャッターカーテン５０９が熱膨張により伸び、垂下方向への荷重となって、座板５１７に加わる。一般的に窓用シャッター５０１では、シャッターカーテン５０９自体の荷重を、収納部において巻き取り方向に吊り上げ力を働かせ、座板５１７には大きく荷重を掛けないよう構成されているが、上記のような火災の際などでは、座板５１７に加わったこの荷重は、下枠５１３で受けられることとなる。座板５１７は、アルミ合金製であることから正面からの火炎によって熱し続けられると軟化し、溶解する場合もあり、上記の増加荷重とも相俟って、耐火強度を低下させる虞がある。そして、座板５１７の溶解によって、同じくアルミ合金製の下枠５１３も軟化、溶解すれば、シャッター枠部全体の耐火強度を著しく低下させる。これに対し、座板５１７や下枠５１３等の部材の厚みを増して耐火強度を確保すれば、材料費が高価になるとともに、重量も増加して不経済となる。
【０００５】
本発明は上記状況に鑑みてなされたもので、その目的は、座板を火災時に軟化や溶解し難くできる防火窓シャッターの座板構造を提供することにある。
【課題を解決するための手段】
【０００６】
次に、上記の課題を解決するための手段を、実施の形態に対応する図面を参照して説明する。
本発明の請求項１記載の防火窓シャッターの座板構造は、建物開口部１３を挟む左右一対のガイドレール３５に両側が案内されて前記建物開口部１３の上方に設置された収納部１９から繰り出し及び巻き取られることで前記建物開口部１３を昇降自在となって開閉するスチール製のシャッターカーテン１１と、
前記左右一対のガイドレール同士の下側にわたって横方向に設けられる下枠３９と、
前記シャッターカーテン１１の下端に吊られ前記シャッターカーテン１１に上端が連結支持される垂直板部５１と前記垂直板部５１の下側に前記建物開口部１３側に延びて連設される延設板部５３とを有する座板２３と、
前記下枠３９の前側で起立して形成され前記座板２３の重心５７を通るカーテン延長線５９よりも建物側の前記延設板部５３に下方より起立上端部６１が当接する起立前板４１と、
前記延設板部５３の建物側の延設板後端部６５に垂設され前記起立前板４１と対向する係止板部６３と、
を具備することを特徴とする。
【０００７】
この防火窓シャッターの座板構造では、火災等における炎によりシャッターカーテン１１が加熱されると、収納部１９における余巻き部分が繰り出される等して、シャッターカーテン１１の吊り持ち力が減少する。閉鎖状態のシャッターカーテン１１がさらに繰り出されると、弛みによる荷重が座板２３に垂下方向へ加わる。座板２３に荷重が加わると、座板２３は、起立上端部６１が当たる延設板部５３の部分を支点６７として、建物側から離反する前傾方向に回転する。座板２３が前傾回転することで、座板２３より上方のシャッターカーテン１１は、弛み部分６９が下枠３９より前方へはみ出して垂れ下げられる。前傾した座板２３は、この弛み部分６９が障壁となって正面からの炎や熱を直接受け難くなる。また、弛み部分６９が下枠３９の前方へ垂れ下がることにより、荷重の支持が収納部１９にも分担され、従来、弛み部分６９により増加し、全てが下枠３９に加わっていた荷重が軽減されることになる。
【０００８】
本発明の請求項２記載の防火窓シャッターの座板構造は、請求項１記載の防火窓シャッターの座板構造であって、
前記延設板後端部６５と前記係止板部６３とが湾曲部７３で連設されていることを特徴とする。
【０００９】
この防火窓シャッターの座板構造では、シャッターカーテン１１が火災などの熱により座板２３に対し垂下方向の荷重を掛けることとなった際に、押し下げられた座板２３は、湾曲部７３によって、起立上端部６１に引っ掛かることなく、前傾する方向へ回転される。つまり、弛み部分６９を積極的に生じ易くできる。
【００１０】
本発明の請求項３記載の防火窓シャッターの座板構造は、請求項１記載の防火窓シャッターの座板構造であって、
前記シャッターカーテン１１の吊り持ち力の減少により前記座板２３が前記起立上端部６１を支点６７に建物側から離反する前傾方向に回転したときに前記起立上端部６１に係止するコ字曲げ部７１が前記係止板部６３に設けられていることを特徴とする。
【００１１】
この防火窓シャッターの座板構造では、前傾した座板２３が、コ字曲げ部７１を起立上端部６１に係止することで、起立上端部６１から離脱し難くなる。すなわち、前傾姿勢を保持し続けることを可能にして、十分な弛み部分６９を生じ易くできる。
【００１２】
本発明の請求項４記載の防火窓シャッターの座板構造は、請求項３記載の防火窓シャッターの座板構造であって、
前傾回転した前記座板２３の前記コ字曲げ部７１に係合して前記起立上端部６１からの前記コ字曲げ部７１の離脱を規制する係合爪部７５が前記起立上端部６１に設けられていることを特徴とする。
【００１３】
この防火窓シャッターの座板構造では、起立上端部６１に係止するコ字曲げ部７１が、さらに、起立上端部６１に設けられた係止板部６３によって係止され、より大きく前傾方向へ回転する座板２３を、下枠３９に係止し続けることが可能となる。これにより、さらに十分な弛み部分６９の形成が可能となり、アルミ合金製の座板２３をスチール製の弛んだシャッターカーテン１１によって火炎から覆えるようになる。
【発明の効果】
【００１４】
本発明に係る請求項１記載の防火窓シャッターの座板構造によれば、火災等における炎によりシャッターカーテンが加熱されると、収納部における余巻き部分が繰り出される等して、シャッターカーテンの吊り持ち力が減少することとなり、閉鎖状態のシャッターカーテンがさらに繰り出されると、弛みによる荷重が座板に垂下方向へ加わることとなるが、座板は、起立上端部が当たる延設板部の部分を支点として、建物側から離反する前傾方向に回転する。座板が前傾回転することで、座板より上方のシャッターカーテンは、弛み部分が下枠より前方へはみ出して垂れ下げられる。前傾した座板は、この弛み部分が障壁となって正面からの炎や熱を直接受け難くなり、これにより、座板を軟化や溶解から防ぐことが可能となる。また、弛み部分が下枠の前方へ垂れ下がることにより、荷重の支持が収納部にも分担され、従来、弛み部分により増加し、全てが下枠に加わっていた荷重が軽減されることになる。また、座板が軟化したり溶解することがないことで、座板の厚みを厚く成形せずに済み、原材料を削減でき、コストを抑えることができる。さらに、下枠は、起立前板を延設板部の建物側で当接すればよいので、従来下枠に比べ、建物からの突出長を短くでき、これによっても材料費を少なくしてコストを抑えることができる。  
【００１５】
本発明に係る請求項２記載の防火窓シャッターの座板構造によれば、シャッターカーテンが火災などの熱により座板に対し垂下方向の荷重を掛けることとなった際に、押し下げられた座板は、湾曲部によって、起立上端部に引っ掛かることなく、前傾する方向へ回転され、座板をスムースに前傾姿勢に導くことができる。つまり、弛み部分を積極的に生じ易くできる。
【００１６】
本発明に係る請求項３記載の防火窓シャッターの座板構造によれば、前傾した座板が、コ字曲げ部を起立上端部に係止することとなり、起立上端部から離脱し難くなる。すなわち、前傾した座板を下枠から外れ難くでき、前傾姿勢を保持し続けることを可能にして、十分な弛み部分を生じ易くできる。
【００１７】
本発明に係る請求項４記載の防火窓シャッターの座板構造によれば、起立上端部に係止するコ字曲げ部が、さらに、起立上端部に設けられた係止板部によって係止され、コ字曲げ部を係止板部から外れ難くして、より大きく前傾方向へ回転する座板を、下枠に係止し続け、一層外れ難くすることが可能となる。これにより、さらに十分な弛み部分の形成が可能となり、アルミ合金製の座板をスチール製の弛んだシャッターカーテンによって火炎から覆えるようになる。
【図面の簡単な説明】
【００１８】
【図１】本発明に係る防火窓シャッターの斜視図である。
【図２】図１に示した収納部の縦断面図である。
【図３】図２に示した座板及び下枠部分の拡大図である。
【図４】熱により弛んだシャッターカーテンを表す作用図である。
【図５】図４からさらに弛んだシャッターカーテンを表す作用図である。
【図６】係止板部にコ字曲げ部が設けられた変形例に係る座板構造の断面図である。
【図７】図６に示した変形例に係る座板構造において熱により弛んだシャッターカーテンを表す作用図である。
【図８】延設板後端部と係止板部とが湾曲部で連設される変形例に係る座板構造の断面図である。
【図９】（ａ）は起立上端部に係止板部が設けられた変形例に係る座板構造の断面図、（ｂ）は（ａ）の変形例において熱により弛んだシャッターカーテンを表す作用図である。
【図１０】従来の座板構造の断面図である。
【図１１】図１０に示した従来の座板構造において熱によりシャッターカーテンが弛んだ状態を表す作用図である。
【発明を実施するための形態】
【００１９】
以下、本発明に係る実施形態を図面を参照して説明する。
図１は本発明に係る防火窓シャッターの斜視図、図２は図１に示した収納部の縦断面図、図３は図２に示した座板及び下枠部分の拡大図である。
本実施形態に係る防火窓シャッターの座板構造は、例えばシャッターカーテン１１を用いて建物開口部１３（図２参照）を開閉する窓用シャッター装置１５に好適に用いることができる。窓用シャッター装置１５は、例えば住宅の窓部を構成するサッシ窓１７（図２参照）の外側に取り付けられる。
【００２０】
窓用シャッター装置１５は、建物開口部１３の上方に収納部１９が取り付けられる。収納部１９は、シャッターカーテン１１や巻取装置を収納している。シャッターカーテン１１は、スチール製のスラット２１を複数連結してなる。シャッターカーテン１１は、操出方向の最先端、すなわち、全閉時での下端に、後に詳述する座板２３（図２参照）を有している。
【００２１】
窓用シャッター装置１５は、建物躯体である例えば柱２５に一対のスチール製の側部ブラケット２７が固定される。それぞれの側部ブラケット２７の内側には軸受金具が対向して固定され、軸受金具は巻取軸の両端を支持している。巻取軸には巻取ホイール２９が回転自在に支持され、巻取ホイール２９はシャッターカーテン１１の操出方向後端である吊元を固定する。
【００２２】
この収納部１９の左右には、アルミ合金製の一対の外枠３１（図３参照）が固定されて垂下する。外枠３１は、サッシ窓１７を挟んで外壁３３（図２参照）から突出して設けられる。それぞれの外枠３１の内側にはガイドレール３５が固定される。ガイドレール３５には、シャッターカーテン１１の両側が係合される。シャッターカーテン１１は、建物開口部１３を挟む左右一対のガイドレール３５に両側が案内されて建物開口部１３の上方に設置された収納部１９から繰り出し及び巻き取られることで建物開口部１３を昇降自在となって開閉する。
【００２３】
垂下した一対の外枠３１の外枠下端部３７（図３参照）は、アルミ合金製の下枠３９によって連結される。下枠３９の前側には起立前板４１が全長にわたって起立して形成される。下枠３９は、左右一対のガイドレール同士の下側にわたって横方向に設けられ、胴縁４３（図３参照）の上端に当接する。胴縁４３の表面は、外壁仕上材によって覆われる。従って、それぞれの外枠下端部３７と下枠端部との連結部分は左右二箇所で出隅部となって外壁３３から突出する。
【００２４】
本実施形態において、それぞれの外枠３１の外側は、さらにアルミ合金製の化粧枠４５によって覆われる。一対のガイドレール３５の外側に設けられる外枠３１と、それぞれの外枠３１の外側に設けられる化粧枠４５と、一対の外枠３１の外枠下端部３７を接続する下枠３９とによってシャッター枠部４７が構成される。
【００２５】
シャッターカーテン１１の下端には座板２３が接続される。座板２３は、シャッターカーテン１１の最下端スラット４９（図１参照）に上端が連結支持される図３に示す垂直板部５１と、この垂直板部５１の下側に建物開口部１３側に延びて連設され本実施形態では略水平となる延設板部５３とを有する。延設板部５３の下面からは略Ｓ字状に折り曲げられて下枠３９に覆い被さる水切り板５５が垂設される。座板２３は、シャッターカーテン１１が開口閉鎖位置まで下降すると、水切り板５５よりも建物側の延設板部５３が下枠３９の起立前板４１と当接する。つまり、下枠３９の起立前板４１に対して、座板２３が単純に載っている。ここで、起立前板４１は、下枠３９の前側で起立して形成され、座板２３の重心５７を通るカーテン延長線５９よりも建物側の延設板部５３に下方より起立上端部６１が当接する。すなわち、座板２３は、後端側のみが載っている。
【００２６】
下枠３９の起立前板４１によって当接される座板２３の延設板部５３には、係止板部６３が設けられている。係止板部６３は、延設板部５３の建物側の延設板後端部６５に垂設され、下枠３９の起立前板４１と対向するよう形成される。下枠３９は、起立前板４１がアルミの押出成形品によって一体成形される。また、座板２３も垂直板部５１、延設板部５３、水切り板５５、係止板部６３がアルミの押出成形品によって一体成形される。下枠３９や座板２３は、断面形状が複雑なため、アルミ合金製とされる。一方、シャッターカーテン１１のスラット２１は、形状が簡素とされ、折り曲げ加工で得られるのでスチール製にて製作される。
【００２７】
次に、上記構成を有する防火窓シャッターの座板構造の作用を説明する。
図４は熱により弛んだシャッターカーテン１１を表す作用図、図５は図４からさらに弛んだシャッターカーテン１１を表す作用図である。
防火窓シャッターの座板構造では、火災などの炎によりシャッターカーテン１１が加熱されると、収納部１９（図２参照）における余巻き部分が繰り出される等して、シャッターカーテン１１の吊り持ち力が減少する。また、シャッターカーテン１１が炎の熱により、膨張変形を起こし、自重により垂下方向に伸びる。
【００２８】
閉鎖状態のシャッターカーテン１１が加熱変形等によってさらに繰り出されると、弛みによる荷重が座板２３に加わる。座板２３に荷重が加わると、座板２３は、起立上端部６１が当たる延設板部５３の部分を支点６７として、図４に示すように、建物側から離反する前傾方向に回転する。座板２３が前傾回転することで、座板２３より上方のシャッターカーテン１１は、図５に示すように、弛み部分６９が下枠３９より前方へはみ出して垂れ下げられる。前傾した座板２３は、この弛み部分６９が障壁となって正面からの熱を直接受け難くなる。すなわち、起立前板４１による支点６７を座板２３の室内側端部付近としておくことで、シャッターカーテン１１に押し下げられた座板２３が室外側に倒れ込み、溶けにくいスチール製のシャッターカーテン１１の陰に入るようになされている。
【００２９】
また、弛み部分６９が下枠３９の前方へ垂れ下がることにより、荷重の支持が収納部１９にも分担され、従来、弛み部分６９により増加し、全てが下枠３９に加わっていた荷重が軽減されることになる。
【００３０】
このようにして、防火窓シャッターの座板構造では、座板２３がシャッターカーテン１１の陰に入ることで、直接の加熱を受けにくくなる。座板２３が溶けにくい条件となることで、アルミ製の座板２３を厚く成形せずに済み、原材料を減らしコストを抑えることができる。また、座板２３の重量が増加しないので、非防火タイプ構造のシャッター装置と巻き取りバネの共通化も可能となる。
【００３１】
さらに、下枠３９は、起立前板４１を延設板部５３の建物側で当接すればよいので、従来下枠に比べ、建物からの突出長Ａを短くでき、これによっても材料費を少なくしてコストを抑えることができる。  
【００３２】
次に、上記実施形態の変形例を説明する。
図６は係止板部６３にコ字曲げ部７１が設けられた変形例に係る座板構造の断面図、図７は図６に示した変形例に係る座板構造において熱により弛んだシャッターカーテン１１を表す作用図である。
この変形例に係る座板構造は、シャッターカーテン１１の吊り持ち力の減少等により座板２３が起立上端部６１を支点６７に建物側から離反する前傾方向に回転したときに起立上端部６１に係止する図６に示すコ字曲げ部７１が係止板部６３に設けられている。
図７に示す前傾した座板２３が、コ字曲げ部７１を起立上端部６１に係止することで、起立上端部６１から離脱し難くなる。すなわち、前傾姿勢を保持し続けることを可能にして、十分な弛み部分６９を生じ易くでき、前傾した座板２３を下枠３９から外れ難くできる。
【００３３】
図８は延設板後端部６５と係止板部６３とが湾曲部７３で連設される変形例に係る座板構造の断面図である。
この変形例に係る座板構造は、延設板後端部６５と係止板部６３とが湾曲部７３で連設されている。
シャッターカーテン１１が下がった際に、押し下げられた座板２３は、湾曲部７３によって、起立上端部６１に引っ掛かることなく、前傾する方向へ回転される。つまり、弛み部分６９（図７参照）を積極的に生じ易くでき、座板２３をスムースに前傾姿勢に導くことができる。
【００３４】
図９（ａ）は起立上端部６１に係合爪部７５が設けられた変形例に係る座板構造の断面図、（ｂ）は（ａ）の変形例において熱により弛んだシャッターカーテン１１を表す作用図である。
この変形例に係る座板構造は、前傾回転した座板２３のコ字曲げ部７１に係合して起立上端部６１からのコ字曲げ部７１の離脱を規制する係合爪部７５が起立上端部６１に設けられている。
起立上端部６１に係止するコ字曲げ部７１が、さらに、起立上端部６１に設けられた係止板部６３によって係止され、より大きく前傾方向へ回転する座板２３を、下枠３９に係止し続けることが可能となる。これにより、さらに十分な弛み部分６９の形成が可能となり、アルミ合金製の座板２３をスチール製の弛んだシャッターカーテン１１によって火炎から覆えるようになり、コ字曲げ部７１を係止板部６３から外れ難くして、前傾した座板２３を下枠３９から一層外れ難くできる。
【符号の説明】
【００３５】
１１…シャッターカーテン
１３…建物開口部
１５…防火窓シャッター（窓用シャッター装置）
１９…収納部
２３…座板
３５…ガイドレール
３９…下枠
４１…起立前板
５１…垂直板部
５３…延設板部
５７…重心
５９…カーテン延長線
６１…起立上端部
６３…係止板部
６５…延設板後端部
６７…支点
７１…コ字曲げ部
７３…湾曲部
７５…係合爪部
【図１】
2014031635.tif 000003
【図２】
2014031635.tif 000004
【図３】
2014031635.tif 000005
【図４】
2014031635.tif 000006
【図５】
2014031635.tif 000007
【図６】
2014031635.tif 000008
【図７】
2014031635.tif 000009
【図８】
2014031635.tif 000010
【図９】
2014031635.tif 000011
【図１０】
2014031635.tif 000012
【図１１】
2014031635.tif 000013